(57)【要約】  音響出力装置の機能性を確保しつつ、使い勝手の向上を図る。使用者の首に装着され挿通孔を有するネックバンドと、一部がネックバンドから導出されたケーブルと、ケーブルに接続されたイヤホンとを備え、ケーブルがネックバンドから挿通孔の両側に引出可能にされ、挿通孔におけるケーブルの挿通部分の位置が変化されることによりケーブルにおける挿通孔の両側の部分の長さが変化される。ケーブルの挿通部分の位置を変化させることで、挿通孔の両側に位置されるケーブルの各部分の長さが変化されるため、音響出力装置の機能性を確保しつつ、使い勝手の向上を図ることができる。
2018230192.tif 000002
【特許請求の範囲】
【請求項１】
使用者の首に装着され挿通孔を有するネックバンドと、
一部が前記ネックバンドから導出されたケーブルと、
前記ケーブルに接続されたイヤホンとを備え、
前記ケーブルが前記ネックバンドから前記挿通孔の両側に引出可能にされ、  
前記挿通孔における前記ケーブルの挿通部分の位置が変化されることにより前記ケーブルにおける前記挿通孔の両側の部分の長さが変化される
音響出力装置。
【請求項２】
前記ネックバンドは、湾曲又は少なくとも一部が屈曲された中間部と、前記中間部の両端にそれぞれ連続され内部構造が配置された配置部とを有する
請求項１に記載の音響出力装置。
【請求項３】
前記配置部の径が前記中間部の径より大きくされ、
前記配置部に前記挿通孔が形成されている  
請求項２に記載の音響出力装置。
【請求項４】
前記挿通孔は所定の方向に延びる第１の部分と前記第１の部分に対して傾斜された第２の部分とを有する
請求項２に記載の音響出力装置。
【請求項５】
使用者の首に前記ネックバンドが装着された状態において二つの前記配置部が略左右に離隔して位置され、
二つの前記配置部における両者が対向する側を内方側としたときに、
前記挿通孔は一方の開口が前記内方側に位置され、
前記挿通孔は他方の開口が外方側に位置される
請求項２に記載の音響出力装置。
【請求項６】
使用者の首に前記ネックバンドが装着された状態において二つの前記配置部が略左右に離隔して位置され、
二つの前記配置部における両者が対向する側を内方側としたときに、
前記挿通孔の一方の開口と他方の開口が前記内方側に位置される
請求項２に記載の音響出力装置。
【請求項７】
前記配置部に前記ケーブルが導出される導出用開口が形成され、
前記挿通孔は前記導出用開口より前記中間部側に位置されている
請求項２に記載の音響出力装置。
【請求項８】
前記配置部に前記ケーブルが導出される導出用開口が形成され、
前記導出用開口は前記挿通孔より前記中間部側に位置されている
請求項２に記載の音響出力装置。
【請求項９】
前記ケーブルには前記ネックバンドに対する前記ケーブルの移動を規制するストッパが支持されている
請求項２に記載の音響出力装置。
【請求項１０】
前記ストッパは前記ケーブルに摺動自在に支持されている
請求項９に記載の音響出力装置。
【請求項１１】
前記ストッパの少なくとも一部が前記挿通孔に挿入可能にされる
請求項９に記載の音響出力装置。
【請求項１２】
前記挿通孔の少なくとも一部が前記ネックバンドの内側に行くに従って小径になる
請求項１１に記載の音響出力装置。
【請求項１３】
前記ケーブルにおける前記イヤホンが接続された端部を一端部としたときに、
前記ストッパは前記ケーブルの前記一端部と前記挿通部分との間に位置される
請求項９に記載の音響出力装置。
【請求項１４】
前記ストッパは外形が略円錐台形状に形成された
請求項１３に記載の音響出力装置。
【請求項１５】
前記配置部に前記ケーブルが導出される導出用開口が形成され、
前記ケーブルにおいて前記導出用開口に位置される部分を導出始端としたときに、
前記ストッパは前記ケーブルにおいて前記導出始端と前記挿通部分との間に位置される
請求項９に記載の音響出力装置。
【請求項１６】
前記ストッパが二つ設けられ、前記挿通部分を挟んだ反対側に位置される
請求項９に記載の音響出力装置。
【請求項１７】
前記二つのストッパがそれぞれ異なる形状に形成された
請求項１６に記載の音響出力装置。
【請求項１８】
前記内部構造として通信装置が設けられ、
前記配置部の先端部に前記通信装置が配置された
請求項２に記載の音響出力装置。
【発明の詳細な説明】
【技術分野】
【０００１】
使用者の首に装着されて使用される音響出力装置についての技術分野に関する。
【背景技術】
【０００２】
使用者の首に装着されるネックバンドと、一部がネックバンドから導出されたケーブルと、ケーブルの先端に接続されたイヤホンとを備えた音響出力装置がある。このような音響出力装置においては、例えば、イヤホンが耳に装着されていない状態で、イヤホンからネックバンドまでのケーブルの長さを短くするなど、使用状態に応じてケーブルの長さを調節できることが望ましい。【０００３】
そこで、ネックバンドの内部にケーブルの巻取機構等を設け、イヤホンが耳に装着されていない場合には、ケーブルの一部を巻取機構によって巻き取ってネックバンドの内部に収納する技術が知られている（例えば、特許文献１参照）。
【先行技術文献】
【特許文献】
【０００４】
【特許文献１】特開２０１６−７６２０２号公報
【発明の概要】
【発明が解決しようとする課題】
【０００５】
しかし、ネックバンドの内部にケーブルの巻取機構等を設けた場合には、音響出力装置が大型化し、重量も大きくなるため、装着時に使用者の負担が増加し使い勝手が低下する虞があった。また、音響出力装置の大型化を避けるためにケーブルの線径を小さくすることが考えられるが、この場合にはケーブルの芯数が制限され、例えば、ノイズキャンセリング機能等を備えることが難しくなるなど、音響出力装置の機能が制限される可能性があった。【０００６】
そこで、本技術音響出力装置は、機能性を確保しつつ、使い勝手の向上を図ることを目的とする。
【課題を解決するための手段】
【０００７】
本技術に係る音響出力装置は、使用者の首に装着され挿通孔を有するネックバンドと、一部が前記ネックバンドから導出されたケーブルと、前記ケーブルに接続されたイヤホンとを備え、前記ケーブルが前記ネックバンドから前記挿通孔の両側に引出可能にされ、前記挿通孔における前記ケーブルの挿通部分の位置が変化されることにより前記ケーブルにおける前記挿通孔の両側の部分の長さが変化されるものである。【０００８】
これにより、ケーブルの挿通部分の位置を変化させることで、挿通孔の両側に位置されるケーブルの各部分の長さが変化される。【０００９】
上記した本技術に係る音響出力装置においては、前記ネックバンドは、湾曲又は少なくとも一部が屈曲された中間部と、前記中間部の両端にそれぞれ連続され内部構造が配置された配置部とを有することが望ましい。【００１０】
これにより、ネックバンドの両端部の重量が大きくなり、使用者の首に装着された状態において配置部が中間部より下方に位置され易くなる。【００１１】
上記した本技術に係る音響出力装置においては、前記配置部の径が前記中間部の径より大きくされ、前記配置部に前記挿通孔が形成されていることが望ましい。【００１２】
これにより、ネックバンドの両端側に存在する大径の配置部にケーブルが挿通される。【００１３】
上記した本技術に係る音響出力装置においては、前記挿通孔は所定の方向に延びる第１の部分と前記第１の部分に対して傾斜された第２の部分とを有することが望ましい。【００１４】
これにより、挿通孔のそれぞれの開口が任意の方向に向けて形成される。【００１５】
上記した本技術に係る音響出力装置においては、使用者の首に前記ネックバンドが装着された状態において二つの前記配置部が略左右に離隔して位置され、二つの前記配置部における両者が対向する側を内方側としたときに、前記挿通孔は一方の開口が前記内方側に位置され、前記挿通孔は他方の開口が外方側に位置されることが望ましい。【００１６】
これにより、挿通孔の一方の開口から引き出されたケーブルの一部がネックバンドの内方側に位置され、他方の開口から引き出されたケーブルの他の一部がネックバンドの外方側に位置される。【００１７】
上記した本技術に係る音響出力装置においては、使用者の首に前記ネックバンドが装着された状態において二つの前記配置部が略左右に離隔して位置され、二つの前記配置部における両者が対向する側を内方側としたときに、前記挿通孔の一方の開口と他方の開口が前記内方側に位置されることが望ましい。【００１８】
これにより、挿通孔の両側から引き出されるケーブルの各部分がネックバンドの内方側に位置される。【００１９】
上記した本技術に係る音響出力装置においては、前記配置部に前記ケーブルが導出される導出用開口が形成され、前記挿通孔は前記導出用開口より前記中間部側に位置されていることが望ましい。【００２０】
これにより、ケーブルは導出用開口より中間部側に位置された挿通孔の一方の開口からイヤホン側に引き出される。【００２１】
上記した本技術に係る音響出力装置においては、前記配置部に前記ケーブルが導出される導出用開口が形成され、前記導出用開口は前記挿通孔より前記中間部側に位置されていることが望ましい。【００２２】
これにより、ケーブルは挿通孔より中間部側に位置された導出用開口からネックバンドの外部へ導出される。【００２３】
上記した本技術に係る音響出力装置においては、前記ケーブルには前記ネックバンドに対する前記ケーブルの移動を規制するストッパが支持されていることが望ましい。【００２４】
これにより、ケーブルの挿通部分が任意の位置とされた状態で、ネックバンドに対するケーブルの移動が規制される。【００２５】
上記した本技術に係る音響出力装置においては、前記ストッパは前記ケーブルに摺動自在に支持されていることが望ましい。【００２６】
これにより、ストッパがケーブルの任意の位置に移動可能になる。【００２７】
上記した本技術に係る音響出力装置においては、前記ストッパの少なくとも一部が前記挿通孔に挿入可能にされることが望ましい。【００２８】
これにより、ストッパの全体がネックバンドの外部に位置されない。【００２９】
上記した本技術に係る音響出力装置においては、前記挿通孔の少なくとも一部が前記ネックバンドの内側に行くに従って小径になることが望ましい。【００３０】
これにより、ストッパが挿通孔を形成する内壁によってネックバンドの内側へ案内される。【００３１】
上記した本技術に係る音響出力装置においては、前記ケーブルにおける前記イヤホンが接続された端部を一端部としたときに、前記ストッパは前記ケーブルの前記一端部と前記挿通部分との間に位置されることが望ましい。【００３２】
これにより、ケーブルが一端部から挿通位置までの長さが短くなる方向にケーブルが引き出された際に、ケーブルのネックバンドに対する移動が規制される。【００３３】
上記した本技術に係る音響出力装置においては、前記ストッパは外形が略円錐台形状に形成されていることが望ましい。【００３４】
これにより、外形が略円錐台形状に形成されたストッパがケーブルの一端部と挿通部分の間に位置される。【００３５】
上記した本技術に係る音響出力装置においては、前記配置部に前記ケーブルが導出される導出用開口が形成され、前記ケーブルにおいて前記導出用開口に位置される部分を導出始端としたときに、前記ストッパは前記ケーブルにおいて前記導出始端と前記挿通部分との間に位置されることが望ましい。【００３６】
これにより、導出始端から挿通部分までの長さが短くなる方向にケーブルが引き出された際に、ストッパによりケーブルのネックバンドに対する移動が規制される。【００３７】
上記した本技術に係る音響出力装置においては、前記ストッパが二つ設けられ、前記挿通部分を挟んだ反対側に位置されることが望ましい。【００３８】
これにより、ケーブルが挿通孔の両側にそれぞれ引き出された際に、ストッパによりケーブルのネックバンドに対する移動が規制される。【００３９】
上記した本技術に係る音響出力装置においては、前記二つのストッパがそれぞれ異なる形状に形成されることが望ましい。【００４０】
これにより、二つのストッパの留まり方の触感が異なる。【００４１】
上記した本技術に係る音響出力装置においては、前記内部構造として通信装置が設けられ、前記配置部の先端部に前記通信装置が配置されることが望ましい。【００４２】
これにより、通信装置が使用者の身体から遠い位置に配置される。
【発明の効果】
【００４３】
本技術によれば、ケーブルの挿通部分の位置を変化させることで、挿通孔の両側に位置されるケーブルの各部分の長さが変化されるため、音響出力装置の機能性を確保しつつ、使い勝手の向上を図ることができる。【００４４】
なお、本明細書に記載された効果はあくまでも例示であって限定されるものではなく、他の効果があってもよい。
【図面の簡単な説明】
【００４５】
【図１】図２乃至図１０と共に本技術音響出力装置の実施の形態を示すものであり、本図は、音響出力装置が使用者に装着される前後の状態を示す説明図である。
【図２】音響出力装置の正面図である。
【図３】音響出力装置の一部を示す正面図である。
【図４】挿通孔に対するケーブルの挿通状態を示す断面図である。
【図５】音響出力装置が使用者に装着された状態を示す説明図である。
【図６】音響出力装置の別の例を示す正面図である。
【図７】音響出力装置の他の別の例を示す正面図である。
【図８】音響出力装置のまた別の例を示す正面図である。
【図９】音響出力装置のさらに別の例を示す正面図である。
【図１０】音響出力装置の挿通孔の別の例を示す断面図である。
【発明を実施するための形態】
【００４６】
以下に、本技術音響出力装置を実施するための形態を添付図面を参照して説明する。
【００４７】
以下に示した実施の形態は、本技術音響出力装置をイヤホンに適用したものである。但し、本技術の適用範囲はイヤホンに限られることはなく、ヘッドホン等の他の各種の音響出力装置に広く適用することができる。
【００４８】
以下の説明にあっては、音響出力装置の装着時において使用者から見た方向で前後上下左右の方向を示すものとする。尚、以下に示す前後上下左右の方向は説明の便宜上のものであり、本技術の実施に関しては、これらの方向に限定されることはない。
【００４９】
＜音響出力装置の構成＞
音響出力装置１は、使用者１００の首１０１に装着されるネックバンド２と、一部がネックバンド２から導出されたケーブル３と、ケーブル３の先端にそれぞれ接続されたイヤホン４、４とを有している（図１及び図２参照）。
【００５０】
音響出力装置１は、ネックバンド２が使用者１００の背側から使用者１００の首１０１に装着される。ネックバンド２は、首１０１に装着された状態において、例えば、下方に開口されたＵ字形状に形成され、両端部が左右に離隔されて使用者１００の胸部１０２の近傍に位置される。
【００５１】
ネックバンド２は、湾曲又は少なくとも一部が屈曲された中間部５と、中間部５の両端にそれぞれ連続された配置部６、６とを有している。音響出力装置１は、ネックバンド２の配置部６、６が使用者１００の首１０１より下方に位置されることで、使用者１００に対する安定した装着状態が保たれている。
【００５２】
ケーブル３は、ネックバンド２の配置部６、６からそれぞれ導出されている。音響出力装置１が使用者１００に装着された状態において、ケーブル３に接続されたイヤホン４、４は、それぞれ使用者の左耳１０３と右耳１０４に装着される。
【００５３】
ネックバンド２は少なくとも中間部５が弾性変形可能な材料によって形成され、配置部６、６が互いに離接する方向へ弾性変形可能に湾曲されている。中間部５の内部には、例えば、ケーブル３の一部が配置されている。
【００５４】
ネックバンド２が使用者１００の首１０１に装着された状態において、中間部５の一部は首１０１の背面側に位置され、配置部６、６は胸部１０２の前側に位置されている。
【００５５】
ネックバンド２が使用者１００の首１０１に装着されるときには、中間部５は配置部６、６が互いに遠ざかるように弾性変形され、装着された状態において、中間部５は配置部６、６が近付くように弾性復帰される（図１参照）。これにより、ネックバンド２の首１０１に対する装着を容易に行うことができると共に、装着された状態においてネックバンド２が首１０１から抜け難く、音響出力装置１の安定した装着状態を確保することができる。
【００５６】
配置部６、６は、左右対称の形状に形成されている。以下では、特筆しない限り、左側に設けられた配置部６を例として説明する。
【００５７】
配置部６は、例えば、樹脂材料によって外形状が略円柱状に形成され、中間部５に連続する方向に延びる形状にされている。配置部６は、例えば、その軸方向と直交する方向において結合された第１部材６ａと第２部材６ｂとから成り、内部空間が配置空間Ｓとして形成されている。配置空間Ｓには、後述する内部構造が配置されている。配置部６の中間部５側の位置にはケーブル３が挿通される挿通孔７が形成されている。尚、配置部６は第１部材６ａと第２部材６ｂが結合された構造に限られず、全体が一つ又は三つ以上の部材の結合によって形成されていてもよい。
【００５８】
配置部６は、径が中間部５の径よりも大きく形成されている。中間部４より大径の配置部６にケーブル３が挿通されるため、ケーブル３の引出しが行い易くなるとともに、ケーブル３と内部構造の十分な配置スペースを確保することができる。
【００５９】
ネックバンド２が使用者１００の首１０１に装着された状態において、上記したように、配置部６、６はそれぞれ略左右に離隔して位置されており、ネックバンド２において配置部６、６が対向する側は内方側とされる。
【００６０】
配置部６、６には各種の内部構造が配置されているため、中間部５よりも大きな重量を有する。従って、ネックバンド２の両端部の重量が大きくなり、ネックバンド２が使用者１００の首１０１に装着された状態において、配置部６、６が中間部５より下方に位置され易くなり、ネックバンド２の安定した装着状態を確保することができる。
【００６１】
以下に、ネックバンド２の装着時に使用者１００の左側に位置される配置部６を配置部６Ｌ、右側に位置される配置部６を配置部６Ｒとして、配置部６Ｌ、６Ｒに特有の構成を説明する。
【００６２】
配置部６Ｌの配置空間Ｓには、内部構造として、例えば、制御基板８、図示しないマイクロホン、図示しない振動モータ等が配置されている（図２参照）。
【００６３】
制御基板８には、後述するスピーカーを動作させる駆動回路や通信装置としての無線通信用のアンテナ８ａが形成されている。従って、音響出力装置１は無線通信によって音楽プレーヤー等の外部機器からの音声信号を受信し、受信した音声信号を変換してスピーカーから音声として出力することが可能とされている。音声信号を受信するための無線通信としては、例えば、ブルートゥース（Bluetooth）（登録商標）やＷiＦi（Wireless Fidelity）（登録商標）が用いられる。
【００６４】
制御基板８に形成された通信装置としてのアンテナ８ａは、配置空間Ｓにおける中間部５と反対側の端部に位置されている。アンテナ８ａは、使用者１００の身体から離れて位置されるほど通信感度が高くなり易い。従って、アンテナ８ａを使用者１００の身体から遠い配置空間Ｓにおける中間部５と反対側の端部に配置することで、良好な通信状態を確保することができる。
【００６５】
マイクロホンは、外部の音声が入力される音声入力装置として機能する。マイクロホンは制御基板８に接続され、入力された音声信号は、例えば、通信装置を介して外部機器に送信される。マイクロホンには配置部６に形成された図示しない音声入力孔を介して音声が入力される。
【００６６】
振動モータは制御基板８によって制御され、所定の振動態様によって使用者１００に音響出力装置１の動作状態を伝える。振動モータは、例えば、振動することで他の通話端末からの通話要求を受信したことを使用者１００に伝える。
【００６７】
配置部６Ｌの外周部には制御基板８に接続された複数の操作釦９、９、・・・が設けられている。操作釦９、９、・・・としては、例えば、主操作釦９ａ、第１の調整釦９ｂ、第２の調整釦９ｃが配置部６Ｌの長手方向に離隔して設けられている。主操作釦９ａが長押し操作されると、音響出力装置１における電源の投入又は遮断が行われる。電源が投入された状態において主操作釦９ａが短押し操作されると、音声の再生又は停止が行われる。また、主操作釦９ａの所定の操作により曲送り、曲戻し、早戻し、外部機器とのペアリング機能の実行等を行うことが可能である。電源が投入された状態において第１の調整釦９ｂ又は第２の調整釦９ｃが短押し操作されると、出力される音声の音量の増大又は低減が行われる。尚、各操作釦９の機能は上記に限定されるものでなく、長押しや短押し等の所定の操作態様により、一つの操作釦９が複数の機能を実現するように構成されてもよい。また、所定の機能をそれぞれ有する操作釦９、９、・・・が設けられる構成にされてもよい。
【００６８】
配置部６Ｌには、制御基板８に接続された点灯部１０が設けられている。点灯部１０としては、例えば、ＬＥＤ（Light Emitting Diode）が用いられている。点灯部１０として、充電状態を示す第１の点灯部１０ａと、音響出力装置１の動作状態を示す第２の点灯部１０ｂとが設けられている。点灯部１０の点灯状態を視認することで、使用者１００は音響出力装置１の動作状態を容易に確認することができる。
【００６９】
配置部６Ｌには、端子部１１が設けられている。端子部１１としては、例えば、ＵＳＢ（Universal Serial Bus）端子が用いられている。端子部１１を用いることにより後述する電池への充電や音声データの入出力等を行うことが可能である。
【００７０】
配置部６Ｒの配置空間Ｓには、近距離無線通信部１２、電池１３等が配置されている。
【００７１】
通信装置としての近距離無線通信部１２は、例えば、ＮＦＣ（Near Field Communication）タグであり、接続認証等のペアリング処理等の機能を有する。近距離無線通信部１２は中間部５に配置された図示しないケーブルを介して制御基板８に接続され、制御基板８と協働して無線通信を実現する。
【００７２】
近距離無線通信部１２は、例えば、配置空間Ｓに貼り付けられた状態で保持されている。
【００７３】
電池（バッテリー）１３は、例えば、充電可能なタイプであって、中間部５に配置されたケーブル３を介して配置部６Ｌの端子部１１に接続され、電池１３には端子部１１を介して外部から電力が供給される。電池１３の電力は、上記した制御基板８、マイクロホン、振動モータ、点灯部１０等に供給される。尚、電池１３は使い捨てタイプであってもよく、その場合には、配置部６Ｒの一部が開閉可能とされ、電池１３の交換が可能な構成にされていることが望ましい。また、電池１３が充電可能なタイプである場合にも配置部６の一部が開閉可能とされ、電池１３の交換が可能とされていてもよい。
【００７４】
上記には、各種の内部構造が配置部６Ｌと配置部６Ｒに分散されて配置されている構成を示した。この構成により、ネックバンド２の重量が左右に均等に分散され易くなり、ネックバンド２が首１０１に装着された状態において、安定した装着状態を保つことができる。尚、配置部６の内部の構成は上記に限定されるものではなく、例えば、配置部６Ｌ又は配置部６Ｒの一方にすべての内部構造が配置される構成にされてもよい。
【００７５】
続いて、図２を参照してイヤホン４の概略構成を説明する。イヤホン４は、例えば、カナル型イヤホンであって、音声信号を振動に変換して音声として出力する図示しないスピーカーと、スピーカーが配置された筐体４ａと、筐体４ａに装着されたイヤーピース４ｂとを有する。
【００７６】
尚、上記にはイヤホン４としてカナル型イヤホンを示したが、例えば、インナーイヤ型など他の形式のイヤホンが用いられてもよい。
【００７７】
以下に、図３及び図４を参照して配置部６の詳細な構成を説明する。配置部６には、一端が配置空間Ｓに連通された導出孔１４が形成されている（図３参照）。導出孔１４の他端の開口は、ネックバンド２の外方側に開口する導出用開口１４ａとして形成されている。
【００７８】
挿通孔７は、導出用開口１４ａより中間部５側の位置に形成されている。挿通孔７は、配置部６を略左右方向に貫通する。
【００７９】
挿通孔７の両側の開口は、それぞれ第１の開口７ａと第２の開口７ｂとして形成されている。第１の開口７ａはネックバンド２の内方側に位置され、第２の開口７ｂは外方側に位置されている。
【００８０】
挿通孔７は、第１の開口７ａに連続された第１の挿入部１５と、第２の開口７ｂに連続された第２の挿入部１６とから成る（図４参照）。第１の挿入部１５と第２の挿入部１６は、第１の開口７ａの反対側の端部と第２の開口７ｂの反対側の端部とにおいて連通されている。第１の挿入部１５と第２の挿入部１６には、後述するストッパの一部がそれぞれ挿入可能とされている。
【００８１】
挿通孔７において、第１の挿入部１５は所定の方向Ｘに延び、第２の挿入部１６は所定の方向Ｙに延びている。方向Ｙは方向Ｘに対して傾いており、第２の挿入部１６は第１の挿入部１５に対して傾斜されている。これにより、挿通孔７の第１の開口７ａと第２の開口７ｂの向きが単一の軸方向に限定されておらず、第１の開口７ａと第２の開口７ｂをそれぞれ所望の方向（任意の方向）に向けて形成することにより、ケーブル３を挿通孔７から所望の方向に引き出すことができる。
【００８２】
第１の挿入部１５は、第１の開口７ａに連続された案内部１５ａと、案内部１５ａに連続された連通部１５ｂとを有する。
【００８３】
案内部１５ａは第１の挿入部１５の第１の開口７ａ側の端部に形成され、ネックバンド２の内側に行くに従って小径になるように形成されている。連通部１５ｂは、ネックバンド２の内側に行くに従って小径になるように形成されており、例えば、断面形状においてすり鉢状に形成されている。連通部１５ｂの軸方向の長さは案内部１５ａの軸方向の長さより長くされている。
【００８４】
第２の挿入部１６は、第２の開口７ｂに連続された案内部１６ａと、案内部１６ａに連続された連通部１６ｂとを有する。
【００８５】
案内部１６ａは第２の挿入部１６の第２の開口７ｂ側の端部に形成され、ネックバンド２の内側に行くに従って小径になるように形成されている。連通部１６ｂはネックバンド２の内側へ行くに従って小径になるように形成されており、第１の挿入部１５の連通部１５ｂに連通されている。
【００８６】
尚、上記には、第１の挿入部１５と第２の挿入部１６が異なる形状に形成された例を示したが、第２の挿入部１６は第１の挿入部１５と同じ形状に形成されてもよい。また、上記には、第２の挿入部１６が第１の挿入部１５に対して傾斜されている例を示したが、挿通孔７は、第１の挿入部１５と第２の挿入部１６が一直線状に形成されていてもよい。さらにまた、第１の挿入部１５と第２の挿入部１６は上記した形状に限られず、例えば、案内部１５ａ、案内部１６ａが形成されていない形状であってもよい。
【００８７】
以下に、図３乃至図５を参照して、ケーブル３の配置部６からの引き出し状態について説明する。ケーブル３は、導出用開口１４ａからネックバンド２の外方側に導出されている（図３参照）。ケーブル３において、導出用開口１４ａに位置される部分は導出始端３ａとされている。
【００８８】
ネックバンド２の外部に導出されたケーブル３は挿通孔７に挿通され、挿通孔７の両側に引出可能にされている。ケーブル３において、挿通孔７に位置される部分、即ち、第１の開口７ａから第２の開口７ｂまでの部分は挿通部分３ｂとされている（図４参照）。
【００８９】
ケーブル３においてイヤホン４が接続された一端部から挿通部分３ｂに連続するまでの部分を第１の部分３ｃとしたときに、第１の部分３ｃは、挿通孔７の第１の開口７ａからネックバンド２の内方側に引き出された部分である（図３参照）。即ち、音響出力装置１が使用者１００に装着された状態において、第１の部分３ｃは使用者１００の首１０１側に位置される（図５参照）。
【００９０】
ケーブル３における導出始端３ａから挿通部分３ｂに連続するまでの部分を第２の部分３ｄとしたときに、第２の部分３ｄは挿通孔７の第２の開口７ｂからネックバンド２の外方側に引き出された部分である（図３参照）。音響出力装置１が使用者１００に装着された状態において、第２の部分３ｄは使用者１００の首１０１より外側に位置される（図５参照）。
【００９１】
ケーブル３において、導出始端３ａからイヤホン４が接続された一端部までの長さは一定にされている。従って、挿通孔７からケーブル３が第１の部分３ｃとして引き出された場合には、第２の部分３ｄの長さが短くされる。逆に、挿通孔７からケーブル３が第２の部分３ｄとして引き出された場合には、第１の部分３ｃの長さが短くされる。
【００９２】
尚、図４等においては、ケーブル３の表面が曲面状に形成されている例を示したが、ケーブル３の表面にはケーブル３の軸方向に延び周方向に並ぶ複数の凹凸部が形成されていてもよい。これにより、ケーブル３に使用者１００の手が触れた場合においても、タッチノイズを低減することができる。
【００９３】
続いて、図５を参照して、音響出力装置１が使用者１００に装着された状態におけるケーブル３の配置部６からの引出状態について説明する。
【００９４】
図５Ａは、音響出力装置１の使用時において、イヤホン４、４が使用者１００の耳に装着された状態を示している。このとき、ケーブル３における第１の部分３ｃが第２の部分３ｄより長くされている。
【００９５】
一方、イヤホン４が耳から外された状態において、第１の部分３ｃがイヤホン４の装着時と同じ長さにされていた場合には、イヤホン４の重量によって第１の部分３ｃが下方に垂れ下がり、使用者１００の手等に接触するなど使い勝手が低下する虞がある。そこで、ケーブル３を挿通孔７から引き出してケーブル３の挿通部分３ｂの位置を変化させることで、第２の部分３ｄの長さを長くし、第１の部分３ｃの長さを短くすることが望ましい（図５Ｂ参照）。
【００９６】
このように、ケーブル３における第１の部分３ｃを第２の部分３ｄより短くするようにケーブル３の引出状態を調節することにより、第１の部分３ｃが使用者１００の邪魔にならなくなる。
【００９７】
図５Ｂが示すイヤホン４、４の非装着状態から再びイヤホン４、４の装着を行う場合には、ケーブル３を挿通孔７から内方側に引き出してケーブル３の挿通部分３ｂの位置を変化させ、第１の部分３ｃの長さを長くすることが望ましい（図５Ａ参照）。
【００９８】
上記の構成によって、ケーブル３の挿通部分３ｂの位置を変化させることで、音響出力装置１の使用状態に応じて、挿通孔７の両側に位置される第１の部分３ｃと第２の部分３ｄの長さが変化される。
【００９９】
以下に、図３乃至図５を参照して、ケーブル３に支持された第１のストッパ１７と第２のストッパ１８の構成を説明する。
【０１００】
ケーブル３には、挿通部分３ｂを挟んだ両側に第１のストッパ１７と第２のストッパ１８がそれぞれ摺動自在に支持されている（図３参照）。ケーブル３において、第１のストッパ１７はイヤホン４に接続された端部と挿通部分３ｂの間の部分に支持され、第２のストッパ１８は導出位置３ａと挿通部分３ｂの間の部分に支持されている。
【０１０１】
第１のストッパ１７と第２のストッパ１８は、例えば、ＰＶＣ（Polyvinyl  Chloride）等の樹脂材料によって形成され、ケーブル３が貫通される図示しない貫通孔を有している。
【０１０２】
第１のストッパ１７と第２のストッパ１８は、貫通孔の軸方向へ一定以上の力が付与されることでケーブル３に対して摺動されるため、第１のストッパ１７と第２のストッパ１８をケーブル３の所望の位置に移動させることができる。第１のストッパ１７と第２のストッパ１８は、一定以上の力が付与されていない状態にあってはケーブル３の一定の位置に保持され、ケーブル３に伴い移動される。
【０１０３】
第１のストッパ１７は、導出始端３ａに近付くに従って径が小さくなるように形成されている。第１のストッパ１７は、例えば、外形が略円錐台形状に形成されている。第１のストッパ１７は外周面が曲面状に形成されており、第１のストッパ１７がケーブル３に伴って移動される際に、使用者１００の服等に引っかかり難くされている。
【０１０４】
第１のストッパ１７は、ケーブル３が第２の部分３ｄの長くなる方向に引き出される際にケーブル３に伴って挿通孔７側へ移動され、一部が第１の挿入部１５に挿入される（図４参照）。第１のストッパ１７の一部は、案内部１５ａを形成する壁面に案内されて第１の挿入部１５に挿入され、一部が連通部１５ｂを形成する壁面の一部又は連通部１５ｂと連通部１６ｂの境界部分に接触した状態で保持される。このとき、挿通孔７を形成する壁面からの側圧によって第１のストッパ１７の移動が規制され、ケーブル３のネックバンド２に対する移動が規制される。
【０１０５】
上記の構成によって、第１のストッパ１７をケーブル３の所望の位置に保持させておくことで、ケーブル３の第２の部分３ｄの長くなる方向への過度の引出を防止することができる。従って、第２の部分３ｄが過度に長くなることが防止され、配置部６の外側に位置されることの多い使用者１００の手等にケーブル３が意図せず接触され難くなる。
【０１０６】
第２のストッパ１８は、例えば、外形が略球状に形成されている。
【０１０７】
第２のストッパ１８は、ケーブル３が第１の部分３ｃの長くなる方向に引き出される際にケーブル３に伴って挿通孔７側へ移動され、一部が第２の挿入部１６に挿入される（図４参照）。第２のストッパ１８の一部は、案内部１６ａを形成する壁面に案内されて第２の挿入部１６に挿入され、案内部１６ａを構成する壁面の一部又は案内部１６ａと連通部１６ｂの境界部分に接触される。このとき、ケーブル３のネックバンド２に対する移動が規制される。
【０１０８】
上記の構成によって、第２のストッパ１８を第２の部分３ｄの所望の位置に保持させておくことで、ケーブル３の第１の部分３ｃの長くなる方向への過度の引出を防止することができる。従って、第１の部分３ｃが過度に長くなることが防止され、第１の部分３ｃのぶらつきが抑制される。
【０１０９】
上記した構成においては、第１のストッパ１７と第２のストッパ１８が挿通部分３ｂを挟んで両側に保持されている。従って、ケーブル３が挿通孔７の両側にそれぞれ引き出された際に、第１のストッパ１７又は第２のストッパ１８によってケーブル３のネックバンド２に対する移動が規制され、挿通孔７の両側においてケーブル３の過度な引出を防止することができる。さらに、挿通孔７の両側からのケーブル３の移動が確実に規制されることで挿通部分３ｂが所望の位置に固定され、第１の部分３ｃと第２の部分３ｄをそれぞれ所望の長さに保つことができる（図４参照）。第１の部分３ｃが所望の長さに保たれることによって、第１の部分３ｃの長さの変化によるイヤホン４の耳からの意図せぬ脱落を防ぐことができる。また、第２の部分３ｄが所望の長さに保たれることによって、所望の長さ以上の第２の部分３ｄがネックバンド２の外方に位置されず、使用者１００の邪魔になり難くされている。
【０１１０】
上記した構成においては、第１のストッパ１７と第２のストッパ１８の少なくとも各一部が挿通孔７に挿入可能にされている。従って、第１のストッパ１７と第２のストッパ１８の全体がネックバンド２の外部に位置されないため、使用者１００の邪魔になり難くされている。
【０１１１】
また、上記した構成においては、第１のストッパ１７と第２のストッパ１８は異なる形状に形成されている。従って、第１のストッパ１７と第２のストッパ１８の触覚が異なり、使用者１００が手で触れることにより第１のストッパ１７と第２のストッパ１８を容易に区別することができる。
【０１１２】
尚、第２のストッパ１８の形状は上記した形状に限られることはなく、例えば、第２のストッパ１８は外形が略円錐台形状に形成されていてもよい。この場合には、挿通孔７の両側において、ケーブル３の移動を確実に規制することができる。
【０１１３】
尚、第１のストッパ１７の形状も上記した形状に限られることはなく、例えば、第１のストッパ１７は外径が略球状に形成されていてもよい。また、第１のストッパ１７と第２のストッパ１８の形状は、外形が略円錐台形状や略球状の形状に限られず、任意の形状に形成されていてもよい。
【０１１４】
＜まとめ＞
以上に記載した通り、音響出力装置１にあっては、ケーブル３がネックバンド２から挿通孔７の両側に引出可能にされ、挿通孔７におけるケーブル３の挿通部分３ｂの位置が変化されることによりケーブル３における挿通孔７の両側の部分の長さが変化される。
【０１１５】
これにより、ケーブル３の挿通部分３ｂの位置を変化させることで、挿通孔７の両側に位置される第１の部分３ｃと第２の部分３ｄの各部分の長さが変化されるため、音響出力装置１の機能性を確保しつつ使い勝手の向上を図ることができる。
【０１１６】
また、上記した音響出力装置１にあっては、挿通孔７は第１の開口７ａが内方側に位置され、第２の開口７ｂが外方側に位置されている。
【０１１７】
これにより、挿通孔７の第１の開口７ａから引き出された第１の部分３ｃはネックバンド２の内方側（使用者１００の首１０１側）に位置され、第２の開口７ｂから引き出された第２の部分３ｄはネックバンド２の外方側（使用者１００の首１０１より外側）に位置される。ネックバンド２を首１０１に装着した状態において、使用者１００の手は配置部６の外側に位置されることが多いため、ネックバンド２の外方側に位置された第２の部分３ｄは使用者１００によって引き出し易くされている。
【０１１８】
さらにまた、上記した音響出力装置１にあっては、挿通孔７は導出用開口１４ａより中間部５側に位置されている。
【０１１９】
従って、ケーブル３の第１の部分３ｃは導出用開口１４ａより中間部５側に位置された挿通孔７の第１の開口７ａから引き出される。挿通孔７から使用者１００の耳までの距離が近いため、イヤホン４の装着時に挿通孔７の第１の開口７ｃから引き出されたケーブル３の第１の部分３ｃの長さが短くなり、第１の部分３ｃのぶらつきを抑制することができる。
【０１２０】
＜音響出力装置の他の構成例＞
以下に、図６乃至図１０を参照して、本技術音響出力装置の他の構成例を説明する。
【０１２１】
第１の構成例である音響出力装置１Ａにおいて、導出用開口１４ａは挿通孔７より中間部５側に位置されている（図６参照）。
【０１２２】
音響出力装置１Ａにあっては、ケーブル３は導出用開口１４ａからネックバンド２の外方側へ導出され、挿通孔７に挿通されている。このとき、第２の部分３ｄは、第１の部分３ｃより中間部５側に位置されている。この場合には、ネックバンド２の装着時にイヤホン４が耳に装着されていない状態において、第１の部分３ｃは第２の部分３ｄより首１０１から遠い位置にある。従って、第１の部分３ｃが首１０１等に接触されにくくなり、使用者１００の邪魔になり難くされている。さらに、イヤホン４が耳に装着されていない状態において、第１の部分３ｃは上下方向において第２の部分３ｄよりも使用者１００の手に近い位置にあるため、使用者１００は第１の部分３ｃ又はその先端に接続されたイヤホン４を手に取ることでイヤホン４の装着を容易に行うことができる。
【０１２３】
第２の構成例である音響出力装置１Ｂにおいて、導出用開口１４ａはネックバンド２の内方側に位置されている（図７参照）。
【０１２４】
配置部６において、挿通孔７は導出用開口１４ａより中間部５側に位置されている。挿通孔７は、少なくとも一部が湾曲又は屈曲されており、第１の開口７ａと第２の開口７ｂがそれぞれネックバンド２の内方側に位置されている。
【０１２５】
上記した音響出力装置１Ｂにあっては、ケーブル３が導出用開口１４ａからネックバンド２の内方側に導出され、挿通孔７に挿通されている。第１の開口７ａと第２の開口７ｂがネックバンド２の内方側に位置されているため、第１の開口７ａと第２の開口７ｂのそれぞれから引き出された第１の部分３ｃと第２の部分３ｄは、ネックバンド２の内方側に位置される。従って、第１の部分３ｃと第２の部分３ｄがネックバンド２の外方側に位置されないため、ネックバンド２の外方側に位置された使用者１００の手が意図せずケーブル３に接触し難くされる。
【０１２６】
第３の構成例である音響出力装置１Ｃにおいて、導出用開口１４ａはネックバンド２の内方側に位置されている（図８参照）。
【０１２７】
導出用開口１４ａは挿通孔７より中間部５側に位置されている。
【０１２８】
挿通孔７は、例えば、少なくとも一部が湾曲又は屈曲されており、第１の開口７ａと第２の開口７ｂがそれぞれネックバンド２の内方側に位置されている。第２の開口７ｂは、第１の開口７ａよりも中間部５側に位置されている。
【０１２９】
上記した音響出力装置１Ｃにあっては、ケーブル３は導出用開口１４ａからネックバンド２の内方側へ導出され、挿通孔７に挿通されている。このとき、第２の部分３ｄは、第１の部分３ｃより中間部５側に位置されている。この場合には、ネックバンド２の装着時にイヤホン４が耳に装着されていない状態において、第１の部分３ｃは第２の部分３ｄより首１０１から遠い位置にある。従って、第１の部分３ｃが首１０１等に接触されにくくなり、使用者１００の邪魔になり難くされている。さらに、イヤホン４が耳に装着されていない状態において、第１の部分３ｃは上下方向において第２の部分３ｄよりも使用者１００の手に近い位置にあるため、使用者１００は第１の部分３ｃ又はその先端に接続されたイヤホン４を手に取ることでイヤホン４の装着を容易に行うことができる。
【０１３０】
さらに、上記した音響出力装置１Ｃにあっては、ケーブル３は導出用開口１４ａからネックバンド２の内方側に導出され、挿通孔７に挿通されている。第１の開口７ａと第２の開口７ｂがネックバンド２の内方側に位置されているため、第１の開口７ａと第２の開口７ｂのそれぞれから引き出されたケーブル３の第１の部分３ｃと第２の部分３ｄは、ネックバンド２の内方側（使用者１００の首１０１側）に位置される。従って、第１の部分３ｃと第２の部分３ｄがネックバンド２の外方側に位置されないため、ネックバンド２の外方側に位置された使用者１００の手が意図せずケーブル３に接触し難くされる。
【０１３１】
尚、上記には第１の開口７ａがネックバンド２の内方側に位置され、第２の開口７ｂと導出用開口１４ａがそれぞれネックバンド２の内方側又は外方側に位置されている例を示したが、第１の開口７ａ、第２の開口７ｂ、導出用開口１４ａは、それぞれ配置部６の任意の位置に形成されていてもよい。
【０１３２】
例えば、第１の開口７ａはネックバンド２の外方側に位置されていてもよい（図９参照）。この場合には、第１の部分３ｃが使用者１００の手の触れやすいネックバンド２の外方側に位置されるため、第１の部分３ａの引出操作を容易に行うことができる。また、第１の開口７ａに加えて、第２の開口７ｂと導出用開口１４ａがそれぞれネックバンド２の外方側に位置されていてもよい。この場合には、第１の部分３ｃと共に第２の部分３ｄがネックバンド２の外方側に位置されるため、第１の部分３ｃに加えて第２の部分３ｄの引出操作を容易に行うことができる。
【０１３３】
尚、上記には、第１の開口７ａ、第２の開口７ｂ、導出用開口１４ａが、ネックバンド２の内方側又は外方側に開口されている例を示したが、第１の開口７ａ、第２の開口７ｂ、導出用開口１４ａ、挿通孔７は、配置部６の外周面又は先端面の何れの位置に開口されていてもよい。
【０１３４】
尚、上記には、配置部６にネックバンド２を貫通する挿通孔７が形成され、挿通孔７の両側の開口がそれぞれ第１の開口７ａと第２の開口７ｂとされている例を示したが、挿通孔７の形状は上記の例に限られない。例えば、配置部６の内部空間と外部を連通する二つの挿通孔７、７が形成され、挿通孔７、７のそれぞれにおける外側の開口が第１の開口７ａと第２の開口７ｂとして形成されていてもよい（図１０参照）。
【０１３５】
上記には、配置部６に挿通孔７が形成される例を示したが、挿通孔７は、例えば、中間部５の一部など、ネックバンド２のその他の任意の位置に形成されていてもよい。
【０１３６】
尚、本明細書に記載された効果はあくまでも例示であって限定されるものではなく、また他の効果があってもよい。
【０１３７】
＜本技術＞
本技術は、以下のような構成にすることができる。
【０１３８】
（１）
使用者の首に装着され挿通孔を有するネックバンドと、
一部が前記ネックバンドから導出されたケーブルと、
前記ケーブルに接続されたイヤホンとを備え、
前記ケーブルが前記ネックバンドから前記挿通孔の両側に引出可能にされ、  
前記挿通孔における前記ケーブルの挿通部分の位置が変化されることにより前記ケーブルにおける前記挿通孔の両側の部分の長さが変化される
音響出力装置。
【０１３９】
（２）
前記ネックバンドは、湾曲又は少なくとも一部が屈曲された中間部と、前記中間部の両端にそれぞれ連続され内部構造が配置された配置部とを有する
前記（１）に記載の音響出力装置。
【０１４０】
（３）
前記配置部の径が前記中間部の径より大きくされ、
前記配置部に前記挿通孔が形成されている  
前記（２）に記載の音響出力装置。
【０１４１】
（４）
前記挿通孔は所定の方向に延びる第１の部分と前記第１の部分に対して傾斜された第２の部分とを有する
前記（２）又は前記（３）に記載の音響出力装置。
【０１４２】
（５）
使用者の首に前記ネックバンドが装着された状態において二つの前記配置部が略左右に離隔して位置され、
二つの前記配置部における両者が対向する側を内方側としたときに、
前記挿通孔は一方の開口が前記内方側に位置され、
前記挿通孔は他方の開口が外方側に位置される
前記（２）から前記（４）の何れかに記載の音響出力装置。
【０１４３】
（６）
使用者の首に前記ネックバンドが装着された状態において二つの前記配置部が略左右に離隔して位置され、
二つの前記配置部における両者が対向する側を内方側としたときに、
前記挿通孔の一方の開口と他方の開口が前記内方側に位置される
前記（２）から前記（４）の何れかに記載の音響出力装置。
【０１４４】
（７）
前記配置部に前記ケーブルが導出される導出用開口が形成され、
前記挿通孔は前記導出用開口より前記中間部側に位置されている
前記（２）から前記（６）の何れかに記載の音響出力装置。
【０１４５】
（８）
前記配置部に前記ケーブルが導出される導出用開口が形成され、
前記導出用開口は前記挿通孔より前記中間部側に位置されている
前記（２）から前記（６）の何れかに記載の音響出力装置。
【０１４６】
（９）
前記ケーブルには前記ネックバンドに対する前記ケーブルの移動を規制するストッパが支持されている
前記（２）から前記（８）の何れかに記載の音響出力装置。
【０１４７】
（１０）
前記ストッパは前記ケーブルに摺動自在に支持されている
前記（９）に記載の音響出力装置。
【０１４８】
（１１）
前記ストッパの少なくとも一部が前記挿通孔に挿入可能にされる
前記（９）又は前記（１０）に記載の音響出力装置。
【０１４９】
（１２）
前記挿通孔の少なくとも一部が前記ネックバンドの内側に行くに従って小径になる
前記（１１）に記載の音響出力装置。
【０１５０】
（１３）
前記ケーブルにおける前記イヤホンが接続された端部を一端部としたときに、
前記ストッパは前記ケーブルの前記一端部と前記挿通部分との間に位置される
前記（９）から前記（１２）の何れかに記載の音響出力装置。
【０１５１】
（１４）
前記ストッパは外形が略円錐台形状に形成された
前記（１３）に記載の音響出力装置。
【０１５２】
（１５）
前記配置部に前記ケーブルが導出される導出用開口が形成され、
前記ケーブルにおいて前記導出用開口に位置される部分を導出始端としたときに、
前記ストッパは前記ケーブルにおいて前記導出始端と前記挿通部分との間に位置される
前記（９）から前記（１２）の何れかに記載の音響出力装置。
【０１５３】
（１６）
前記ストッパが二つ設けられ、前記挿通部分を挟んだ反対側に位置される
前記（９）から前記（１２）の何れかに記載の音響出力装置。
【０１５４】
（１７）
前記二つのストッパがそれぞれ異なる形状に形成された
前記（１６）に記載の音響出力装置。
【０１５５】
（１８）
前記内部構造として通信装置が設けられ、
前記配置部の先端部に前記通信装置が配置された
前記（２）から前記（１７）の何れかに記載の音響出力装置。
【符号の説明】
【０１５６】
１…音響出力装置、２…ネックバンド、３…ケーブル、３ａ…導出始端、３ｂ…挿通部分、３ｃ…第１の部分、３ｄ…第２の部分、４…イヤホン、５…中間部、６…配置部、７…挿通孔、７ａ…第１の開口、７ｂ…第２の開口、１４ａ…導出用開口、１５…第１の挿入部、１６…第２の挿入部、１７…第１のストッパ、１８…第２のストッパ、１Ａ…音響出力装置、１Ｂ…音響出力装置、１Ｃ…音響出力装置
【図１】
2018230192.tif 000003
【図２】
2018230192.tif 000004
【図３】
2018230192.tif 000005
【図４】
2018230192.tif 000006
【図５】
2018230192.tif 000007
【図６】
2018230192.tif 000008
【図７】
2018230192.tif 000009
【図８】
2018230192.tif 000010
【図９】
2018230192.tif 000011
【図１０】
2018230192.tif 000012
【国際調査報告】
2018230192.tif 000013
2018230192.tif 000014